【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
少なくとも一つのアプリケーションがインストールされたアプリケーション部と、前記少なくとも一つのアプリケーションに対応するアプリケーションデータを記憶するデータ部とを有する情報処理装置であって、前記アプリケーション部と前記データ部とは互いに接続および分離でき、
前記データ部は、
前記アプリケーション部と接続されると、接続された前記アプリケーション部が前記データ部と紐づけられているか判定し、
紐づけられていない場合には、接続された前記アプリケーション部に紐づけられた第二のデータ部から前記アプリケーションデータを取得して記憶し、接続された前記アプリケーション部に、該アプリケーション部と接続されている前記データ部と紐づける情報を記憶させることを特徴とする情報処理装置。
【請求項２】
請求項１に記載の情報処理装置であって、
前記データ部はネットワークに接続されており、
前記データ部はさらに、接続された前記アプリケーション部が前記データ部と紐づけられていない場合には、接続された前記アプリケーション部に紐づけられた前記第二のデータ部を前記ネットワークから探索することをと特徴とする情報処理装置。
【請求項３】
請求項１または２に記載の情報処理装置であって、
前記アプリケーション部は、最後に接続された前記データ部の識別情報を、前記データ部と紐づける情報として記憶することを特徴とする情報処理装置。
【請求項４】
請求項１乃至３のいずれか一項に記載の情報処理装置であって、
前記アプリケーションデータには、最後に接続された前記アプリケーション部と紐づけるための情報が含まれ、
前記データ部は、接続された前記アプリケーション部に紐づけられた前記第二のデータ部から、前記アプリケーション部に紐づけられた前記アプリケーションデータを取得して記憶することを特徴とする情報処理装置。
【請求項５】
請求項１乃至４のいずれか一項に記載の情報処理装置であって、
前記データ部は、前記アプリケーション部に紐づけられた前記アプリケーションデータを、データの移動により取得することを特徴とする情報処理装置。
【請求項６】
請求項４に記載の情報処理装置であって、
前記データ部はさらに、該データ部に、前記第二のデータ部と同じ前記アプリケーションデータが記憶されている場合には、前記第二のデータ部から前記アプリケーションデータを取得せず、記憶されていない場合に、前記第二のデータ部から前記アプリケーションデータを複製により取得して記憶することを特徴とする情報処理装置。
【請求項７】
請求項６に記載の情報処理装置であって、
前記データ部はさらに、該データ部に記憶された前記アプリケーション部に紐づけられた前記アプリケーションデータを削除禁止に設定し、前記第二のデータ部に記憶された前記アプリケーション部に紐づけられた前記アプリケーションデータの削除禁止を解除することを特徴とする情報処理装置。
【請求項８】
請求項１乃至７のいずれか一項に記載の情報処理装置であって、
前記データ部はさらに、前記第二のデータ部から前記アプリケーションデータを取得する際に、前記アプリケーションデータを変換する必要があるか否かを判定し、変換する必要がある場合には、前記第二のデータ部から前記アプリケーションデータを取得したデータを変換することを特徴とする情報処理装置。
【請求項９】
請求項１乃至８のいずれか一項に記載の情報処理装置であって、
前記データ部にはさらに、前記アプリケーション部に紐づけられた、前記アプリケーションデータ以外のデータを記憶し、
前記データ部はさらに、該データ部に接続されている前記アプリケーション部に紐づけられた、前記アプリケーションデータ以外のデータが前記第二のデータ部に記憶されている場合には、当該アプリケーションデータ以外のデータも取得して記憶することを特徴とする情報処理装置。
【請求項１０】
請求項１乃至９のいずれか一項に記載の情報処理装置であって、
前記アプリケーションデータ以外のデータにはユーザを認証するためのユーザデータを含み、
前記データ部はさらに、該データ部に接続されている前記アプリケーション部に紐づけられた、前記アプリケーションデータ以外のデータが前記第二のデータ部に記憶されている場合には、当該アプリケーションデータ以外のデータに含まれたユーザデータを用いてユーザ認証を行い、ユーザ認証が成功した場合に、前記第二のデータ部に記憶された前記アプリケーションデータ及び前記アプリケーションデータ以外のデータを取得して記憶することを特徴とする情報処理装置。
【請求項１１】
請求項６に記載の情報処理装置であって、
前記データ部はさらに、該データ部に、前記第二のデータ部と同じ前記アプリケーションデータが記憶されている場合には、前記第二のデータ部から前記アプリケーションデータを取得せず、前記データ部に記憶されている前記アプリケーションデータを、前記データ部に接続されている前記アプリケーションと関連づけることを特徴とする情報処理装置。
【請求項１２】
請求項１１に記載の情報処理装置であって、
前記データ部はさらに、前記第二のデータ部に記憶されている前記アプリケーションデータが複数のデータ部に紐づけられている場合には、前記第二のデータ部に記憶されている前記アプリケーションデータと、前記データ部に接続されている前記アプリケーション部との紐づけを解除し、前記第二のデータ部に記憶されている前記アプリケーションデータがひとつのデータ部に紐づけられている場合には、前記第二のデータ部に記憶されている前記アプリケーションデータを削除することを特徴とする情報処理装置。
【請求項１３】
請求項１乃至１２のいずれか一項に記載の情報処理装置であって、
前記アプリケーション部はユーザインタフェース手段をさらに有し、
前記データ部は、スキャナ手段及びプリンタ手段をさらに有することを特徴とする情報処理装置。
【請求項１４】
少なくとも一つのアプリケーションがインストールされたアプリケーション部と接続できる情報処理装置であって、
前記少なくとも一つのアプリケーションに対応するアプリケーションデータを記憶し、
前記アプリケーション部と接続されると、接続された前記アプリケーション部が前記情報処理装置と紐づけられているか判定し、
紐づけられていない場合には、接続された前記アプリケーション部に紐づけられた第二のデータ部から前記アプリケーションデータを取得して記憶し、接続された前記アプリケーション部に、該アプリケーション部と接続されている前記情報処理装置と紐づける情報を記憶させることを特徴とする情報処理装置。
【請求項１５】
アプリケーションに対応するアプリケーションデータを記憶したデータ部と接続できる情報処理装置であって、
少なくとも一つのアプリケーションがインストールされ、
最後に接続された前記データ部と紐づける情報を記憶することを特徴とする情報処理装置。
【請求項１６】
少なくとも一つのアプリケーションがインストールされたアプリケーション部と、前記少なくとも一つのアプリケーションに対応するアプリケーションデータを記憶するデータ部とを有する情報処理装置によるデータ移行方法であって、前記アプリケーション部と前記データ部とは互いに接続および分離でき、前記方法は、
前記データ部が、
前記アプリケーション部と接続されると、接続された前記アプリケーション部が前記データ部と紐づけられているか判定し、
紐づけられていない場合には、接続された前記アプリケーション部に紐づけられた第二のデータ部から前記アプリケーションデータを取得して記憶し、接続された前記アプリケーション部に、該アプリケーション部と接続されている前記データ部と紐づける情報を記憶させることを特徴とするデータ移行方法。
【請求項１７】
少なくとも一つのアプリケーションがインストールされたアプリケーション部と接続できる情報処理装置によるデータ移行方法であって、
前記少なくとも一つのアプリケーションに対応するアプリケーションデータを記憶し、
前記アプリケーション部と接続されると、接続された前記アプリケーション部が前記情報処理装置と紐づけられているか判定し、
紐づけられていない場合には、接続された前記アプリケーション部に紐づけられた第二のデータ部から前記アプリケーションデータを取得して記憶し、接続された前記アプリケーション部に、該アプリケーション部と接続されている前記情報処理装置と紐づける情報を記憶させることを特徴とするデータ移行方法。
【請求項１８】
請求項１４に記載の情報処理装置としてコンピュータを機能させるためのコンピュータプログラム。